(57)【要約】  検査中に眼を観察するための眼科用機器を提供する。機器は、上記眼の画像を取込むための画像取込み手段（２６）と、上記画像をコンピュータ読取り可能なファイルに変換するためのデータ処理手段（４０、４２、４６）とを含む。機器は、後にコンピュータに転送できるよう上記ファイルを記憶するための取外し可能なメモリ（４４、２００）を担持する。
2013506516.tif 000002
【特許請求の範囲】
【請求項１】
検査中に眼を観察するための眼科用機器であって、
機器は、前記眼の画像を取込むための画像取込み手段と、前記画像をコンピュータ読取り可能なファイルに変換するためのデータ処理手段とを含み、
機器は、後の表示および／またはコンピュータへの転送のために前記ファイルを記憶するためのメモリを担持する、眼科用機器。
【請求項２】
機器は、使用時に手持ちにされるかまたは頭部に装着される、請求項１に記載の機器。
【請求項３】
画像取込み手段はビデオカメラを含む、請求項１または２に記載の機器。
【請求項４】
メモリは携帯型メモリデバイスを含み、前記携帯型メモリデバイスは、機器から取外し可能であり、コンピュータが読取れるようコンピュータに接続可能である、請求項１から３のいずれかに記載の機器。
【請求項５】
取外し可能なメモリデバイスはソリッドステートデバイスである、請求項４に記載の機器。
【請求項６】
メモリデバイスはメモリカードまたはＵＳＢスティックを含む、請求項５に記載の機器。
【請求項７】
メモリは機器に内蔵される、請求項１から３のいずれかに記載の機器。
【請求項８】
機器はディスプレイスクリーンを備え、前記ディスプレイスクリーン上で、使用者が、画像取込み手段によって取込まれている画像を閲覧し得る、請求項１から７いずれかに記載の機器。
【請求項９】
機器は観察光学系を含み、前記観察光学系を介して使用者が検査中に眼を観察し得る、請求項８に記載の機器。
【請求項１０】
観察光学系は接眼レンズを含み、スクリーンは、機器上で前記接眼レンズに隣接して配置される、請求項９に記載の機器。
【請求項１１】
スクリーンは機器の本体とは別個であり、使用者の片方の手の付近にスクリーンを装着および保持するための手段を含む、請求項８に記載の機器。
【請求項１２】
機器は間接検眼鏡を含む、請求項１から１１のいずれかに記載の機器。
【請求項１３】
スクリーンは、手持ち型レンズに取付けられるか、または、使用者の前腕にスクリーンを取付けるためのストラップもしくはバンドを備える、請求項８に従属する、請求項１２に記載の機器。
【請求項１４】
メモリ、データ処理手段およびスクリーンが共通のハウジングに収容され、前記共通のハウジングはまた、これらの構成要素および画像取込み手段のための電源を収容し、前記画像取込み手段は電源に接続される、請求項８から１１のいずれかに記載の機器。
【請求項１５】
機器は、使用者による近接観察を補償するために１つ以上のレンズをスクリーンの前部に備える、請求項１０に記載の機器。
【請求項１６】
観察光学系は２つの接眼レンズを含み、スクリーンは２つのこのようなスクリーンのうちの１つであり、各々がそれぞれの接眼レンズに隣接して位置する、請求項１０に記載の機器。
【請求項１７】
眼科用機器であって、
検査中に眼の画像を取込むための画像取込み手段と、
画像をコンピュータ読取り可能なファイルに変換するためのデータ処理手段と、
前記ファイルをデバイスに記録できるようにするために、データ処理手段を携帯型メモリデバイスに取外し可能に接続するためのコネクタとを含む、眼科用機器。
【請求項１８】
コネクタはメモリカードスロットまたはＵＳＢソケットを含む、請求項１７に記載の機器。
【請求項１９】
機器は、間接的な頭部装着型検眼鏡を含む、請求項１７または１８に記載の機器。
【請求項２０】
機器は、使用者の頭部に機器を装着するためのヘッドバンドと、ヘッドバンドによって担持され、使用時にメモリに接続されるディスプレイスクリーンとを含み、
ディスプレイスクリーンは、使用者がヘッドバンドの取外し後に前記画像を見ることを可能にするために、メモリに記憶された画像を表示するよう動作可能である、請求項１７から１９のいずれかに記載の機器。
【請求項２１】
ディスプレイスクリーンは、ヘッドバンドの前部から間隔を空けた位置に配置される、請求項２０に記載の機器。
【請求項２２】
ディスプレイスクリーンはヘッドバンドの後部に位置する、請求項２１に記載の機器。
【請求項２３】
機器はヘッドバンドの後部に装着されるバッテリハウジングを含み、ディスプレイスクリーンはバッテリハウジング上に搭載される、請求項２２に記載の機器。
【請求項２４】
バッテリハウジングが１つ以上のバッテリを収容するバッテリパックを含む、請求項２３に記載の機器。
【請求項２５】
ディスプレイスクリーンは機器に解放可能に搭載可能なディスプレイモジュールを含む、請求項２０から２４のいずれかに記載の機器。
【請求項２６】
モジュールは前記メモリを含む、請求項２５に記載の機器。
【発明の詳細な説明】
【技術分野】
【０００１】
発明の分野
この発明は眼科用機器に関し、より特定的には、眼の画像を取込んで実習中に使用したり後に分析したりするのに使用可能な間接検眼鏡に関するが、これには限定されない。
【背景技術】
【０００２】
発明の背景
間接検眼法、特に、双眼間接検眼法は、眼底を検査するために一般に用いられる手法である。この技術では、使用者と被験者との間に配置される手持ち型の集光レンズが用いられる。このレンズは網膜の空中像を作り出し、この空中像は、検眼鏡の観察光学系を介して観察される。
【０００３】
典型的には、検眼鏡は頭部装着型であり、光源を備え、光線が検査中にこの光源から手持ち型の集光レンズを介して眼に向かって投影される。観察光学系は、通常双眼用であり、検査官または使用者が検査中に眼底の画像の図を得ることを可能にする。
【０００４】
いくつかの検眼鏡、特に、実習用検眼鏡は、検査中に眼の画像を取込むためのビデオカメラを備えている。これらの画像は外部のコンピュータに送ることができ、そこに記録され、その後、資格を有する専門家または間接検眼法の技術を学んでいる学生によって分析される。コンピュータと機器との間は、使用者の移動を妨げる恐れのあるＵＳＢまたはファイヤワイヤのケーブルなどのケーブルで接続される。加えて、ケーブル接続では、画像データを伝送する帯域幅手段が制限されてしまい、機器からコンピュータに供給することのできるビデオ映像の解像度および／またはフレームレートがこれに対応して制限されてしまう可能性がある。
【発明の概要】
【課題を解決するための手段】
【０００５】
本発明に従うと、検査中に眼を観察するための眼科用機器が提供される。当該機器は、眼の画像を取込むための画像取込み手段と、当該画像をコンピュータ読取り可能なファイルに変換するためのデータ処理手段とを備える。当該機器は、後にコンピュータに転送できるよう当該ファイルを記憶するためのメモリを担持する。
【０００６】
好ましくは、機器は、使用時に手持ちにされるかまたは頭部に装着される。
機器にメモリを備えることにより、画像の取込み時に機器が外部コンピュータと通信する必要がなくなる。このように、使用中に、ケーブルを介して機器をコンピュータに接続する必要がなくなる。このような接続は不便であるかもしれず、つまづく危険を引起す可能性もある。また、機器は、途切れを起こしやすい恐れのあるコンピュータとの無線リンクも必要としない。
【０００７】
好ましくは、画像取込み手段はビデオカメラを含む。
この場合、取込まれたビデオ映像（すなわち、一連の取込まれた画像）の解像度およびフレームレートは、コンピュータに対する接続の許容帯域幅によっては制限されない。なぜなら、ビデオデータがメモリに局所的に記憶されるからである。たとえば、ＵＳＢ２とファイヤワイヤケーブルとの接続は、４８０Ｍ  Ｂｉｔｓ／ｓのデータ転送速度をもたらすが、これによって、ビデオ取込み速度が、毎秒１５フレームで１．２ＭＰに制限される。これに対し、局所的にメモリに記録することにより、記録ハードウェア間の選択のみに応じて解像度およびフレームレートをさらにより高くすることができる。
【０００８】
便宜上、メモリは携帯型メモリデバイスを含み、この携帯型メモリデバイスは、機器から取外し可能であり、これによって読取られるようコンピュータに接続可能である。
【０００９】
このように、画像および／または映像は、機器によって取込まれると、装置を取外してコンピュータに接続することによって容易に転送され得る。加えて、機器は、取外された１つの装置から画像および／または映像を転送しつつ新しい画像および／または映像が別のこのようなデバイスに記録され得るように、いくつかのこのようなデバイスの各々と順々に用いられてもよい。
【００１０】
好ましくは、取外し可能なメモリデバイスは、ソリッドステートデバイスであり、好ましくはメモリカードまたはＵＳＢスティックを含む。
【００１１】
このようなデバイスは、一般に、コンパクトで、軽量で、ロバストで、安価で、使い易く、大抵のコンピュータと互換性がある。
【００１２】
代替的には、メモリが機器に内蔵されてもよく、この場合、画像を転送するには、この機器を大容量記憶装置として処理するコンピュータに接続することが必要となる。このような接続はファイヤワイヤまたはＵＳＢのケーブルを用いてなされてもよく、この場合、上述の帯域幅の制限では、転送された映像の解像度またはフレームレートは制限されないだろう。なぜなら、映像にわたる期間よりも転送にかかる期間の方が長くなる可能性があるからである。
【００１３】
好ましくは、機器はディスプレイスクリーン（好ましくは、局所的なディスプレイスクリーン）を備え、このディスプレイスクリーン上で、使用者が画像取込み手段によって取込まれている画像を閲覧し得る。
【００１４】
加えて、機器は有利には観察光学系を含んでいてもよく、使用者が、検査中にこの観察光学系を介して眼を観察し得る。
【００１５】
このような光学系は、従来の機器の特徴をなしており、検査中に眼の高解像度画像を提供することができる。また、双眼間接検眼鏡などのいくつかの種類の機器の場合、観察光学系により眼の立体視が得られる。加えて、機器は、さらに、画像取込み手段とスイッチが切られた観察用スクリーンとともに、すなわち（その動作モード時には、機器の電力消費が低減される）従来の機器として、用いることができる。
【００１６】
観察光学系が接眼レンズを含む場合、スクリーンは、有利には、機器上で、たとえば上記接眼レンズに隣接して配置される。
【００１７】
代替的には、スクリーンは、機器の本体とは別個であってもよく、使用者の片方の手の付近にスクリーンを監視および保持するための手段を備える。
【００１８】
機器が間接検眼鏡である場合、スクリーンをこのように手持ち型レンズの付近に保持することができる。この目的のために、スクリーンはレンズに取付けられてもよく、または、使用者の前腕にスクリーンを取付けるためのストラップまたはバンドを備えていてもよい。このようなバンドは、ジョギング中に音楽を聞きたい人の腕に個人用音楽プレーヤを取付けるタイプのバンドと同様であってもよい。
【００１９】
スクリーンは、閲覧者の眼から離れたところに位置決めされるが、それでも、スクリーンの前に如何なる付加的な調節レンズをも必要とすることなく検眼鏡の観察光学系を介して見ることができる。
【００２０】
メモリ、データ処理手段およびスクリーンは共通のハウジングに収容されてもよく、このハウジングは、これら構成要素と、ケーブルによってそれに接続される画像取込み手段とのための電源をも含む。
【００２１】
この場合、機器は、好ましくは、使用者による近接観察を補償するために１つ以上のレンズをスクリーンの前方に備える。さらに、レンズは、スクリーンと使用者の眼との間の距離が使用者の最小の明視距離未満である場合、使用者がスクリーンに焦点を合わせることを可能にするだろう。観察光学系が２つの接眼レンズを含む場合、スクリーンは、好ましくは、それぞれの接眼レンズに隣接して対応して配置される２つのこのようなスクリーンのうちの一方である。
【００２２】
本発明はまた眼科用機器であり、眼科用機器は、検査中に眼の画像を取込むための画像取込み手段と、画像をコンピュータ読取り可能なファイルに変換するためのデータ処理手段と、デバイスへの上記ファイルの記録を可能にするようにデータ処理手段を携帯型メモリデバイスに取外し可能に接続するためのコネクタとを含む。
【００２３】
上記コネクタは、たとえば、メモリカードスロットまたはＵＳＢソケットを含み得る。
好ましくは、上述の機器はいずれも、間接的な頭部装着型検眼鏡を含む。
【００２４】
好ましくは、機器は、当該機器を使用者の頭部に装着するためのヘッドバンドと、ヘッドバンドによって担持され、使用時にメモリに接続されるディスプレイスクリーンとを含む。ディスプレイスクリーンは、使用者がヘッドバンドの取外し後に上記画像を見ることができるようにするために、メモリに記憶された画像を表示するよう動作可能である。
【００２５】
このように、機器を操作してビデオ映像または静止画像を獲得した使用者は、彼／彼女が自身の頭部から機器を取外したときにこの素材を直ちに都合よく閲覧することができる。
【００２６】
好ましくは、ディスプレイスクリーンは、ヘッドバンドの前部から間隔を空けた箇所に位置する。
【００２７】
結果として、ディスプレイによってヘッドバンドに加えられる力のモーメントによって、機器の残りの部分によって加えられる力のモーメントを強化する必要がなくなる。
【００２８】
好ましくは、ディスプレイスクリーンはヘッドバンドの後部に位置する。ディスプレイスクリーンがこの位置にある場合にもたらす力のモーメントは、機器のうちヘッドバンドの前方にある部品によってもたらされる力のモーメントを相殺することとなる。
【００２９】
機器は、便宜上、使用時に１つ以上の電池などのそれ自体の電源を担持していてもよい。したがって、機器は、ヘッドバンドの後部に装着された（１つ以上のバッテリを収容するための）バッテリハウジングを含み得る。ディスプレイスクリーンはこのハウジングに搭載される。
【００３０】
便宜上、バッテリハウジングは、１つ以上のバッテリを収容するバッテリパックを含む。
【００３１】
好ましくは、ディスプレイスクリーンは、機器上で解放可能に搭載可能なディスプレイモジュールを含む。
【００３２】
モジュールは、便宜上、上記メモリを含んでいてもよい。
結果として、ディスプレイスクリーン上の取込み画像を閲覧した使用者は、簡単にモジュールを取外して、（たとえば、コンピュータにおけるＵＳＢソケットに差込まれたモジュール上のＵＳＢ雄型コネクタを介して）コンピュータに接続することができる。
【００３３】
図面の簡単な説明
ここで、本発明を、添付の図面に関連付けて例示としてのみ説明する。
【図面の簡単な説明】
【００３４】
【図１】本発明に従った（ヘッドバンドを備えた）検眼鏡の第１の実施例を示す等角図である。
【図２】図１の検眼鏡のさまざまな構成要素を示すブロック回路図である。
【図３】本発明に従った（ヘッドバンドを備えた）検眼鏡の第２の実施例を示す、図１の対応図である。
【図４】図３の検眼鏡の変形例を示す、図１の対応図である。
【図５】検眼鏡の別の変形例を後部から示す等角図である。
【発明を実施するための形態】
【００３５】
詳細な説明
図１を参照して、本発明に従った機器の第１の実施例は、全体的に１と参照符号が付された間接検眼鏡を含む。間接検眼鏡１は、ヘッドバンド２の前部に取付けられ、これにより、機器を使用者の頭部に装着することが可能となる。ヘッドバンド２の後部は、検眼鏡１における光源を作動させるための電力を供給するバッテリパック４を担持する。その光源が発した光の強さは、ヘッドバンド２上の輝度制御部６によって制御することができる。
【００３６】
検眼鏡１は、全体的に逆Ｔ字型の形状であるハウジング８を含む。ハウジングは、（上述の光源を含む）照明光学系および両眼用観察光学系を収容する。
【００３７】
照明光学系は、ハウジングの垂直なステム１０内に収容されており、光源に加えて、角度の付けられたミラーを含む。このミラーは、光源の下に位置決めされており、光源からの光をハウジング１の前部にある窓１２へと反射させる。
【００３８】
ミラーは、ハウジング８の横材１４内に収容される観察光学系の真上に位置決めされる。２つの側部制御部１６および１８により、照明用ミラーの角度を調節することができる。
【００３９】
機器の照明および観察光学系（および関連する制御部）は、本出願人の米国特許明細書番号ＵＳ６２８００３３に記載されるとおりである。
【００４０】
角度の付けられた半鍍銀のミラー２０は、取付台上で観察光学系の前方に位置しており、これにより、２つの側部制御部２２および２４によってミラー２０の角度を調整することが可能となる。ミラー２０は、そこに入射する光を、ミラー２０の真上にありステム１０に据えられたビデオカメラ２６へと反射させる。制御部２４および／または２２が行なう調整により、検眼鏡の使用者が、カメラによって検出された画像の視野を、観察光学系を介して使用者が見ているものと可能な限り合致するように、調整することが可能となる。
【００４１】
使用時に、ミラー２０に入射した光のうち３０％が反射してカメラへと入射し、残りの光が観察光学系へと移動するので、観察光学系を介して見られる画像をミラーが過度に劣化させることはなくなる。ここまで記載してきた検眼鏡１の特徴はまた、本願出願人の既存のＫＥＥＬＥＲ  ＶＡＮＴＡＧＥ  ＰＬＵＳ  ＬＥＤ  ＤＩＧＩＴＡＬ（登録商標）検眼鏡上に存在する。ステム１０の側部にある制御ノブ２８は、照明光学系がもたらす照明光線の幅を公知の態様で調整するためのものである。
【００４２】
ハウジング８の横材１４はまた、使用者の眼の各々に対応する２つの接眼レンズ（図１には図示せず）を収容する。これらの接眼レンズの真上では、横材１４の上に、２つの局所的なＬＣＤディスプレイスクリーン３０および３２が設けられており、その各々は、カメラ２６によって検出された画像を表示するよう動作可能である。それぞれの集束レンズ（図１には図示せず）は、各スクリーンの前方に位置しており、これにより、使用者が、検眼鏡の着用中にスクリーンに表示された画像に焦点を合わせることが可能となる。スクリーンが接眼レンズの真上にあるので、使用者は、検査中に観察光学系を介して眼の画像を観察したり、スクリーン３０および３２に表示されている画像を観察したりと容易に切り替えることができ、このため、使用者が、それらの画像を適度な程度に一致させるように制御部２２および／または２４をより容易に調整し得ることが認識されるだろう。
【００４３】
照明光学系、観察光学系、およびカメラと半鍍銀のミラーとの構成は、本願出願人の既存のＫＥＥＬＥＲ  ＶＡＮＴＡＧＥ  ＰＬＵＳ  ＤＩＧＩＴＡＬ（登録商標）検眼鏡の対応する部品と実質的に同じである。
【００４４】
カメラ２６はＵＳＢ２で電力供給されるボードカメラである。
図２を参照すると、カメラは、回路接合部３６において分割されるアナログビデオコンポジット出力信号を生成し、こうして、この信号を、ディスプレイスクリーン３０および３２、（集合的に参照符号３８で示される）関連する駆動回路、ならびにアナログ−デジタルビデオ信号コンバータ（ＡＤＣ：analogue to digital video signal converter）４０に供給することができるようになる。ビデオＡＤＣ  ４０は、ビデオコンポジット信号を、マイクロプロセッサ４２に供給されるデジタルデータストリームに変換する。マイクロプロセッサ４２は、入力されたデータストリームを圧縮し、公知の方法でコンピュータ読取り可能なファイルに変換するよう動作可能である。マイクロプロセッサ４２は、さらに、ソリッドステートメモリ４４に接続される。マイクロプロセッサ４２はまた、コンピュータインタフェイス回路４６に接続され、これが、ＵＳＢリード線３４への接続用のＵＳＢソケットを提供し、これを介して、マイクロプロセッサ４２（と、これによりメモリ４４と）が外部コンピュータに接続可能となり、この外部コンピュータによって制御可能となる。
【００４５】
マイクロプロセッサ４２は、コマンド信号のための入力４８を含む。この入力４８は、検眼鏡ハウジング上の好適な外部位置にある記録ボタン５０に接続されており、使用者が、カメラ２６によって取込まれた映像の記録を開始または中断することを可能にする。マイクロプロセッサ４２の出力５２は、システムが記録モードである場合に点灯するインジケータＬＥＤ  ５４に接続される。
【００４６】
図２から分かるように、カメラ、ディスプレイ、ＡＤＣ、マイクロプロセッサ、メモリカードおよびインジケータのための電源はバッテリパック４から得られる。
【００４７】
使用時に、検眼鏡１は外部コンピュータには接続されず、従来の検眼鏡と同様の態様で使用者が動作させる。しかしながら、使用者が検査の映像を記録したいと希望するのであれば、使用者は、最初に、スクリーン３０および３２を用いて、カメラ１２６によって検出されている画像をチェックし、そして、カメラ２６によって検出された画像が観察光学系を介して観察されている画像と一致するように、制御部２２または２４を介して必要な調節を行うこととなる。
【００４８】
次いで、検査の映像の記録は、ボタン５０を押すことによって開始させることができ、こうして、ビデオＡＤＣ  ４０からのデジタルデータストリームをマイクロプロセッサ４２によって処理して、圧縮された画像データがメモリ４４に書込まれるようにする。ボタン５０が再び押されると、記録は停止し、マイクロプロセッサ４２が、メモリ４４に書込まれたデータをコンピュータ読取り可能なファイルに変換し、これがさらにメモリ４４にも書込まれる。
【００４９】
検眼鏡が使用された後、この検眼鏡は、ケーブル３４を介して外部コンピュータに接続することができる。この外部コンピュータにとっては、検眼鏡は、ビデオ映像を含む（メモリ４４内の）１つ以上のファイルを有する大容量記憶装置として認識される。こうして、コンピュータは、その後の観察および分析のためにこれらのファイルをダウンロードすることができる。図２に示される構成要素が、たとえば、何らかの専用のデジタルビデオカメラや、携帯電話および個人用音楽プレーヤなどの多目的の個人用デジタル電子機器において見出されるような他の従来のデジタルビデオおよびストレージシステムの対応する構成要素と同様の形状および機能を有することが認識されるだろう。
【００５０】
このように、検眼鏡１が外部コンピュータに接続されていない場合、ビデオ映像は検眼鏡１によって取込むことができる。加えて、その後、映像が別個のコンピュータにダウンロードされると、この映像は、ストリーミングされたビデオデータとしてではなく、１つ以上の予め記憶されたファイルとして転送される。したがって、検眼鏡からコンピュータへのデータの転送速度に対する制限は、取込まれたビデオ映像の解像度またはフレームレートに影響を及ぼすことはない。というのも、ダウンロードは、映像の期間よりも長い期間にわたって行うことできるからである。
【００５１】
図３に示される検眼鏡の実施例は、多くの点で検眼鏡の第１の実施例と同じであり、このため、対応する構成要素は、図１の参照番号を１００ずつ増やして表わされている。
【００５２】
しかしながら、この場合、検眼鏡１０１はオンボードメモリを含まないが、代わりに、取外し可能なソリッドステートメモリカード２００を収容するためのメモリカード読取／書込デバイスを有する。メモリカードおよび関連する読取／書込デバイスは、図２に示されるメモリ４４と同じように機能する。しかしながら、データが転送されるべき場合、メモリカードは、検眼鏡１０１から簡単に取外され、リーダに挿入されるかまたは外部コンピュータに接続される。第２の実施例は、メモリカードが検眼鏡１０１におけるＵＳＢソケットに挿入可能なＵＳＢメモリスティックと置換えられるように、変更されてもよい。専用のメモリカードリーダに接続されなくてもこのようなメモリデバイスと互換性のある多くのコンピュータが存在するだろう。この実施例においては、図２のブロック４６に対応する回路は設けられていない。検眼鏡は、取込まれた映像を転送するのにコンピュータに直接接続されなくてもよい。
【００５３】
図３に示される実施例は、より安価な製品を提供するために、観察用スクリーン３０および３２が省略されている図４に示されるように変更することもできる。
【００５４】
図５に示されるさらに変更されたタイプの検眼鏡は、図４の検眼鏡と共通する多くの特徴を有しており、これらは図４において用いられるのと同じ参照符号で表わされている。
【００５５】
図５に示される構成は、検眼鏡自体がメモリカードのためのスロットを備えていない点、および、ディスプレイモジュール２００のディスプレイスクリーン形成部分がバッテリパック１０４の上に搭載されている点において、図４に示される構成とは異なっている。バッテリパック１０４とモジュール２００の下側とに、連結形成部（図示せず）が設けられており、この連結形成部は、モジュール２００をパック１０４の上に解放可能に取付けることを可能にし、さらに、パック１０４から電力を供給するための電力およびデータ接点を含み、これにより、モジュール２００の（参照番号２００が付された）ディスプレイスクリーンを作動させ、カメラによって取込まれた画像を表わすデータをスクリーン２００に伝送する。データ接続により、モジュール２００におけるスクリーンドライバ（図示せず）がインターフェイス４６などのコンピュータインタフェイスを介してマイクロプロセッサ４２に連結される。したがって、関連する形成部は、たとえば、バッテリパック１０４の上にあるソケットと（またはこれとは逆の状態で）協働するＵＳＢプラグをモジュール２００上に備え得る。パック１０４上のモジュール２００を機械的に保持する形成部は、たとえば、モジュール２００の下側に雄型のラッチング部材（たとえば、つめ）を含み得る。これらの雄型のラッチング部材は、パック１０４の上にある対応する開口部に係合し、モジュール２００上のボタン（図示せず）によってそこから解放可能である。このボタンは、これらの形成部が開口部の端縁から離れてモジュール２００の取外しが可能になるまで、このボタンを押してこれらの形成部を移動させるように、雄型のラッチング部材に連結されている。
【００５６】
モジュール２００は、カメラからマイクロプロセッサを介してモジュール２００に伝送される画像データを記憶するメモリ（図示せず）を含み得る。加えて、または、代替的には、検眼鏡１０１は、図２に示される実施例のメモリ４４などの内部メモリを含んでもよい。
【００５７】
使用時に、使用者は、他のタイプの発明と同じ態様でカメラを作動させる。使用者が機器の使用を終えると、使用者は機器を取外し、モジュール２００の前部にある制御ボタン２０４を介する入力に応じて、記録されたビデオデータをスクリーン２０２上で見ることができる。これらの制御ボタンは、（各々が開始／停止などの専用の機能を有することによって、または、スクリーン２０２に表示されたメニューのまわりでカーソルを移動可能にすることによって）通常の再生オプションを制御し得る。機器が取外されると、使用者がバンド１０２を保持するので、容易にスクリーン２０２を閲覧したり、ボタン２０４を操作したりすることができるようになるだろう。
【００５８】
こうして、再生機能を用いて検査を完了した後、使用者は画像およびビデオを見ることができ、ＰＣを用いなくても、取込まれたデータの品質を直ちに評価することが可能となる。加えて、または、代替的には、取込まれたビデオ映像は、検査中にスクリーン２０２を見る観察者によって検査／観察可能である。
【００５９】
スクリーン２０２は、ビデオまたは静止画像を表示するための好適な如何なるディスプレイスクリーンであってもよく、たとえば、ＬＣＤ、ＬＥＤ、ＯＬＥＤスクリーンであってもよい。
【図１】
2013506516.tif 000003
【図２】
2013506516.tif 000004
【図３】
2013506516.tif 000005
【図４】
2013506516.tif 000006
【図５】
2013506516.tif 000007
【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
検査中に眼を観察するための眼科用機器であって、
機器は、前記眼の画像を取込むための画像取込み手段と、前記画像をコンピュータ読取り可能なファイルに変換するためのデータ処理手段とを含み、
機器は、後の表示および／またはコンピュータへの転送のために前記ファイルを記憶するためのメモリを担持し、
前記機器は、使用者の頭部に機器を装着するためのヘッドバンドと、ヘッドバンドによって担持され、使用時にメモリに接続されるディスプレイスクリーンとを含み、ディスプレイスクリーンは、使用者がヘッドバンドの取外し後に前記画像を見ることを可能にするために、メモリに記憶された画像を表示するよう動作可能であり、ディスプレイスクリーンはヘッドバンドの後部に位置する、機器。
【請求項２】
画像取込み手段はビデオカメラを含む、請求項１に記載の機器。
【請求項３】
メモリは携帯型メモリデバイスを含み、前記携帯型メモリデバイスは、機器から取外し可能であり、コンピュータが読取れるようコンピュータに接続可能である、請求項１または２に記載の機器。
【請求項４】
メモリは機器に内蔵される、請求項１または２に記載の機器。
【請求項５】
機器はさらなるディスプレイスクリーンを備え、前記さらなるディスプレイスクリーン上で、使用者が、画像取込み手段によって取込まれている画像を閲覧し得る、請求項１から４いずれかに記載の機器。
【請求項６】
機器は観察光学系を含み、前記観察光学系を介して使用者が検査中に眼を観察し得、前記光学系は接眼レンズを含み、さらなるスクリーンは、機器上で前記接眼レンズに隣接して配置される、請求項５に記載の機器。
【請求項７】
さらなるスクリーンは機器の本体とは別個であり、使用者の片方の手の付近にスクリーンを装着および保持するための手段を含む、請求項５に記載の機器。
【請求項８】
機器は、間接的な頭部装着型検眼鏡を含む、請求項１から７のいずれかに記載の機器。
【請求項９】
さらなるスクリーンは、手持ち型レンズに取付けられるか、または、使用者の前腕にスクリーンを取付けるためのストラップもしくはバンドを備える、請求項５に従属する、請求項８に記載の機器。
【請求項１０】
メモリ、データ処理手段およびスクリーンが共通のハウジングに収容され、前記共通のハウジングはまた、これらの構成要素および画像取込み手段のための電源を収容し、前記画像取込み手段は電源に接続される、請求項５から７のいずれかに記載の機器。
【請求項１１】
観察光学系は２つの接眼レンズを含み、さらなるスクリーンは２つのこのようなスクリーンのうちの１つであり、各々がそれぞれの接眼レンズに隣接して位置する、請求項６に記載の機器。
【請求項１２】
眼科用機器であって、
検査中に眼の画像を取込むための画像取込み手段と、
画像をコンピュータ読取り可能なファイルに変換するためのデータ処理手段と、
前記ファイルをデバイスに記録できるようにするために、データ処理手段を携帯型メモリデバイスに取外し可能に接続するためのコネクタとを含み、
前記機器は、使用者の頭部に機器を装着するためのヘッドバンドと、ヘッドバンドによって担持され、使用時にメモリに接続されるディスプレイスクリーンとを含み、ディスプレイスクリーンは、使用者がヘッドバンドの取外し後に前記画像を見ることを可能にするために、メモリに記憶された画像を表示するよう動作可能であり、ディスプレイスクリーンはヘッドバンドの後部に位置する、機器。
【請求項１３】
コネクタはメモリカードスロットまたはＵＳＢソケットを含む、請求項１２に記載の機器。
【請求項１４】
機器はヘッドバンドの後部に装着されるバッテリハウジングを含み、ディスプレイスクリーンはバッテリハウジング上に搭載される、請求項１２または１３に記載の機器。
【請求項１５】
ディスプレイスクリーンは機器に解放可能に搭載可能なディスプレイモジュールを含み、前記モジュールは前記メモリを含む、請求項１２から１４のいずれかに記載の機器。
【国際調査報告】
2013506516.tif 000008
2013506516.tif 000009
2013506516.tif 000010